(57)【要約】      （修正有）【課題】荷物を出し入れする間、扉を開けた状態で維持することができるロッカー用ドア制御システムを提供する。【解決手段】ロッカー１の中に荷物を入れると、その荷物の重みにより、新たにロッカー底面に設けた底板６が下がり、扉２に新たに設けたガイド４が、ロッカーの底面と底板ではさまれ、扉が開いたままの状態で停止する。開いた状態の扉を閉めたいときには、ガイドにかかっていた抵抗もしくは停止する力よりも強く、扉に力を加えることにより、扉を閉めることができる。【選択図】    図１
2006083634.tif 000002
【特許請求の範囲】
【請求項１】
ロッカー等の扉について、ロッカーの中に荷物などが入っているときには、その荷物の重みでロッカー内部の底板が沈み、その底板が動くことを利用して、閉じようとする扉に抵抗もしくは停止する力を発生させ、荷物が入っていない場合は、底板が沈まないため、扉の動きに抵抗もしくは停止する力が発生しないようにしたドア制御システム。
【発明の詳細な説明】
【技術分野】
【０００１】
本発明は、主に駅やレジャー施設、銭湯などに置かれている荷物を預けたりする扉のついたロッカーなどに関するもので、常に閉じようとしている扉の動きを、ロッカーの中に入れる荷物などの重さを利用して一時的に停止したり、閉まる力に抵抗をかけたりして制御したものである。
【背景技術】
【０００２】
従来、主に駅やレジャー施設、銭湯などに置かれているロッカーにおいて、開いたままの状態の扉に、頭などをぶつけにくくするための安全面や、扉が開いたままロッカーは見た目などの点および、開いたままの状態の扉ではロッカーの近く通るときに邪魔となる点などから、荷物を出し入するとき以外は、扉が常に閉じた状態を保てるように、バネなどの力によって常に扉が閉じようとする力が働いていた。
【発明の開示】
【発明が解決しようとする課題】
【０００３】
従来、ロッカーなどにおいて扉を常に閉じた状態で維持するため、バネなどの力によって常に閉じようとする力が働いている扉では、扉を開けた状態で手を放し、扉が開いたままの状態で維持することはむずかしかった。
しかしながら、常に扉を閉めようとするバネなどをとりさり、扉にかかる力を無くし、扉が開いた状態でも停止するだけだと、荷物を出し入れしていないときやロッカーを使用していないときにでも、ロッカーの扉が開いた状態になる可能性があり、開いた状態の扉に頭や体などをぶつけて怪我をするおそれがあった。なおかつ扉が開いたままの状態のロッカーは見た目が悪く、ロッカーの近くを通るときに、その扉が邪魔となり通りにくくなる可能性があった。
【０００４】
銭湯やプールなどにおいて、少しずつ何回も荷物などを取り出したり、入れたりしたい場合、通常、扉には閉まろうとする力が常に働いているため、扉から手を離すと扉が自動的に閉まってしまい、荷物などを入れたり出したりするたびに、扉を何回も開けなくてはならず不便であった。
【０００５】
また、扉を開いた状態で維持したい場合には、片手で扉を押さえるか、体で押さえていなくてはならず、着替えたりするときなどは片手が使用できず邪魔で不便であった。
【０００６】
さらに、扉を必要以上に何回も開けたり閉めたりするために、扉についているバネやちょう番などへの負担が大きくなり、バネやちょう番などが壊れて効かなくなるなど、ロッカー自体の寿命を縮めていた。
【課題を解決するための手段】
【０００７】
ロッカー内部の底面に、裏側にスプリングなどの伸縮する部品のついた底板を設け、ロッカーの中に荷物などが入っている状態では、その荷物などの重みにより底板が下に下がり、荷物がない状態では、スプリングなどの伸縮する部品により底板が元の状態にまで上がった状態になるようにします。また、扉部分にもガイドなどを設け、そのガイドなどがロッカー内部の底面と新たに設けた底板との間を通るようにします。
【０００８】
ロッカーの中に荷物を入れると、その荷物の重みによってスプリングなどが収縮し、内部に設けた底板が下に下がり、その底板が下がることにより、扉に設けたガイドがロッカーの底面と底板ではさまれ、扉が閉まろうとする力に抵抗もしくは停止する力を与え、扉が閉まろうとする力を制御します。抵抗もしくは停止する力が加わり開いた状態の扉を閉めたいときには、ガイドにかかっていた抵抗もしくは停止する力よりも強く、手などで扉に力を加えることにより、扉を閉めることができ課題を解決します。
【０００９】
また、ロッカー内部に荷物が入ってないときは、スプリングなどの伸縮力により底板が上がった元の状態で保たれ、ロッカーの底面と底板の間がひろがり、扉に設けられたガイドに余分な抵抗がかかることなく動くことができ、扉がバネなどの力によって閉じた状態で維持ができるようになる。そうなることにより荷物がない状態、すなわちロッカーを使用していない状態では、扉が閉じた状態を維持でき、見た目や安全面、利便性においても課題を解決できるようになります。
【００１０】
ガイドの動き、すなわち扉の動きを制御するため、ガイドと底板の接触する部分に凸凹加工を施したり、より抵抗がかかるようにゴムなどの素材を使用してもよい。そのため素材、形状などは特に指定しない。伸縮自在な部品はスプリングなどに限定せず、スポンジやゴムなどでもよい。また、取り付け位置も裏面である必要はなく底板をゴムなどで吊り下げる方法をとってもよい。また、ガイド部分なども必ずしもロッカーの底面と底板で挟んで抵抗、もしくは停止する力を発生させる必要はなく、あくまでも荷物の重さによってロッカー内部の底板が動き、その動きによって、扉の動きを制御するものであればよいものとする。
【発明の効果】
【００１１】
以上本発明により、以下の効果を得ることができる。
【００１２】
本発明により、ロッカーを使用中、すなわちロッカーの中に荷物がある状態のときと、使用していないとき、すなわちロッカーの中に荷物がない状態とで、扉が閉まろうとする力を制御することができるようにできます。
【００１３】
ロッカーの中に荷物がある状態で扉を開けると、その荷物の重みで閉まろうとする扉に抵抗がかかり、手を離しても扉が開いたままの状態を維持することができまる。
扉が開いた状態で維持できることにより、プールや銭湯などで脱いだ服を少しずつ入れたり出したりする場合に、その都度、扉を開ける必要がなくなります。また、扉が開いた状態のロッカーは、棚としても使用でき、小物などを一時的に置いておくこともできるようになります。
ロッカーの中に荷物がない状態では、扉の動きに抵抗がかからないため、今までのロッカーのように、扉には閉まろうとする力が働き、扉は閉まったままの状態で維持されます。扉は閉まっているので、頭や体などをぶつける心配がなく、見た目や近くを通る際も邪魔にならなくなります。
【発明を実施するための最良の形態】
【００１４】
本発明にかかわる、ロッカーの中に荷物が入ってる状態では、扉を開けたままの状態で維持でき、ロッカーの中に荷物が入っていない状態では、扉が閉まった状態を維持できるロッカーの扉の実施形態としての一例を、以下に、図面に基づいて詳細に説明します。
【実施例１】
【００１５】
プールや銭湯などの場合、鍵のかかってなく使用されていないロッカーの中の扉を開け荷物を入れます。ロッカーの中に荷物が入った状態となるので、開けた扉は手を離してもその開いた状態を維持します。扉が開いている状態で維持されているので、ロッカー自体を棚のように使用でき、服などを脱ぐときにも両手が使え、脱いだものから順に、扉をその都度開けることなく、ロッカーの中に荷物を入れることができるようになります。荷物を入れ終え、扉を閉めたいときには、開いた状態が維持されている扉に、手で閉める方向に力を加えることにより扉を止めている抵抗力より多くの力が加わり、扉が閉まり鍵を閉めることができます。
【実施例２】
【００１６】
また、荷物を取り出す際には鍵を開け、扉を開けることにより、ロッカーの中に荷物が入っているので開けたところで扉が維持されます。扉は開いた状態で維持されているので、その都度扉を開ける必要がなく、ロッカーの中にある荷物を少しずつ取り出すことができ、両手を使って服を着ることができます。ロッカーの中の荷物を全部取り出したら、そのままの状態で扉はバネなどの力によって自動的に閉まり、閉じた状態を維持します。
【図面の簡単な説明】
【００１７】
【図１】本発明のロッカーの扉が開いた全体図である。
【図２】本発明のロッカーの扉が閉まった全体図である。
【図３】本発明のガイドが付いた扉の図である。
【図４】本発明の底板の図である。
【図５】本発明のガイド部分の拡大図である。
【図６】本発明のロッカーの中に荷物が入ったときの透視側面図である。
【図７】本発明のロッカーの中に荷物が入ってないときの透視側面図である。
【符号の説明】
【００１８】
１    ロッカー
２    扉
３    取手
４    ガイド
５    凸凹
６    底板
７    スプリング
８    荷物
【図１】
2006083634.tif 000003
【図２】
2006083634.tif 000004
【図３】
2006083634.tif 000005
【図４】
2006083634.tif 000006
【図５】
2006083634.tif 000007
【図６】
2006083634.tif 000008
【図７】
2006083634.tif 000009